(57)【要約】【課題】緩衝装置の周囲の空間を利用する際の自由度を高める技術の提供。【解決手段】弾性体で形成されたドーム部および前記ドーム部の底部において前記ドーム部の外壁の外側に延びるフランジ部を備えるドーム部材と、前記フランジ部において前記ドーム部材を支持する支持部材と、を備える緩衝装置であって、前記フランジ部と前記支持部材との少なくとも一方に、断面の一部が前記ドーム部の内外の空気を互いに流通させる流通部であるとともに、前記断面の残部に前記流通部と異なる機能を有する部材が配置された穴が形成されている、緩衝装置を構成する。【選択図】図１
2015138659.tif 000002
【特許請求の範囲】
【請求項１】
弾性体で形成されたドーム部および前記ドーム部の底部において前記ドーム部の外壁の外側に延びるフランジ部を備えるドーム部材と、
前記フランジ部において前記ドーム部材を支持する支持部材と、を備える緩衝装置であって、
前記フランジ部と前記支持部材との少なくとも一方に、
断面の一部が前記ドーム部の内外の空気を互いに流通させる流通部であるとともに、前記断面の残部に前記流通部と異なる機能を有する部材が配置された穴が形成されている、
緩衝装置。
【請求項２】
前記穴は、前記フランジ部と前記支持部材とが接する部位において前記支持部材に形成されており、
前記フランジ部には、前記ドーム部の内側から前記穴の開口部に至る溝が形成されている、
請求項１に記載の緩衝装置。
【請求項３】
前記流通部と異なる機能を有する部材は、
前記ドーム部材を前記支持部材に取り付ける位置を決定する位置決め部材である、
請求項１または請求項２のいずれかに記載の緩衝装置。
【請求項４】
前記ドーム部は当該ドーム部の内壁に可動接点を備え、
前記支持部材は前記可動接点との接触が検出される固定接点を備えた基板であり、
前記流通部と異なる機能を有する部材は、前記固定接点に対する配線部材である、
請求項１〜請求項３のいずれかに記載の緩衝装置。
【請求項５】
弾性体で形成されたドーム部および前記ドーム部の底部において前記ドーム部の外壁の外側に延びるフランジ部を備えるドーム部材と、
前記フランジ部において前記ドーム部材を支持する支持部材と、を備える緩衝装置であって、
前記フランジ部と前記支持部材との少なくとも一方に、
断面の一部が前記ドーム部の内外の空気を互いに流通させる流通部であるとともに、前記断面の残部に前記ドーム部材を前記支持部材に取り付ける位置を決定する位置決め部材が配置された穴が形成されている、
緩衝装置。
【請求項６】
弾性体で形成されるとともに内壁に可動接点を備えたドーム部および前記ドーム部の底部において前記ドーム部の外壁の外側に延びるフランジ部を備えるドーム部材と、
前記フランジ部において前記ドーム部材を支持するとともに前記可動接点との接触が検出される固定接点を備えた基板と、を備える緩衝装置であって、
前記フランジ部と前記基板との少なくとも一方に、
断面の一部が前記ドーム部の内外の空気を互いに流通させる流通部であるとともに、前記断面の残部に前記固定接点に対する配線部材が配置された穴が形成されている、
緩衝装置。
【発明の詳細な説明】
【技術分野】
【０００１】
本発明は、可動部材の動作を緩和させる緩衝装置に関する。
【背景技術】
【０００２】
従来、可動部材の動作を所定の可動範囲で規制する際に当該可動部材の動作を緩和する機能を有する緩衝装置が利用されている。当該緩衝装置は、動作を緩和する機能の他に種々の機能を備える場合があり、可動部材の動作を検出するためのスイッチとして機能する場合や、可動部材に対して所定の反力（クリック感等）を与える部材として機能する場合がある。
【０００３】
例えば、特許文献１においては、ドーム状の膨出部を有するシート部材をスイッチ基板に配置するスイッチ構造において、シート部材の下面に膨出部から四方に延びる空気流通溝が形成される構造が開示されている。また、特許文献１においては、基板上の位置決め突起とシート部材の位置決め孔でシート部材の位置決めが行われる構造が開示されている。
【０００４】
さらに、特許文献２においては、ドーム状のラバースプリングの鍔部の下面に、ラバースプリングの空洞内部と外部とを結ぶ通気溝が形成される構造が開示されている。また、特許文献２においては、鍔部の周囲で鍔部を支えるホルダー部材によってラバースプリングの位置決めが行われる構造が開示されている。
【先行技術文献】
【特許文献】
【０００５】
【特許文献１】特開２００１−３５１４６５号公報
【特許文献２】特開２００２−１９０２３０号公報
【発明の概要】
【発明が解決しようとする課題】
【０００６】
従来の技術においては、緩衝装置の周囲の空間を利用する際の自由度が低かった。すなわち、特許文献１、特許文献２のいずれにおいてもドーム状の部材を基板等の支持部に取り付けるために専用の部位（特許文献１においては突起と孔、特許文献２においてはホルダー部材）が形成されている。従って、ドーム状の部材の他に専用の部材を他の構成部材と干渉しないように配置するための空間を確保する必要がある。従って、緩衝装置を鍵盤装置の内部など、複数の部品が配置される装置に配置する場合に、当該専用の部材を避けて複数の部品を配置する必要があり、緩衝装置の周囲の空間を利用する際の自由度が低かった。
本発明は、前記課題にかんがみてなされたもので、緩衝装置の周囲の空間を利用する際の自由度を高める技術の提供を目的とする。
【課題を解決するための手段】
【０００７】
上述の目的を達成するため、弾性体で形成されたドーム部およびドーム部の底部においてドーム部の外壁の外側に延びるフランジ部を備えるドーム部材と、フランジ部においてドーム部材を支持する支持部材と、を備える緩衝装置であって、フランジ部と支持部材との少なくとも一方に、断面の一部がドーム部の内外の空気を互いに流通させる流通部であるとともに、断面の残部に流通部と異なる機能を有する部材が配置された穴が形成されている、緩衝装置を構成する。
【０００８】
すなわち、ドーム部材が支持部材で支持された緩衝装置において、弾性変形するドーム部の内外の空気を互いに流通させる機能と空気の流通とは異なる機能とを兼用する穴が、フランジ部と支持部材との少なくとも一方に形成される。このため、空気の流通とは異なる機能を実現するために専用の部材を設ける必要はなく、空気の流通部と兼用される穴で当該機能を実現することができる。従って、空気の流通と異なる機能を実現するために専用の部材を設ける構成と比較して、緩衝装置の周囲の空間を利用する際の自由度を高めることができる。
【０００９】
ここで、ドーム部材は、ドーム部およびフランジ部を備えていれば良く、ドーム部は弾性体で形成されることにより、弾性体に可動部材が接触することによって変形し、その反力によって可動部材の動作に対して緩衝作用を与えることができればよい。ドーム部は、中空であれば良く、底部から頂部に向けて内径および外径が徐々にまたは段階的に小さくなるように構成されることが好ましい。また、ドームの形状は半球状であっても良いし、略矩形の形状であっても良い。むろん、ドームの内壁や外壁に種々の形状（例えば椀状の部位や可動部材の接触面となる部位）が形成されていても良い。
【００１０】
さらに、ドーム部は可動部材の接触によって弾性変形できるように弾性体で形成されていれば良い。従って、弾性体の素材は限定されず、ゴム等の各種の樹脂や弾性力を発生させる金属等、各種の素材で構成可能である。ドーム部において緩衝作用を発生させるためにドーム部から可動部材に作用する反力は０より大きければ良く、むろん、他の部材、例えば、ストッパと併用されることによって可動部材の可動範囲を規制する構成であっても良い。
【００１１】
フランジ部は、ドーム部の底部においてドーム部の外壁の外側に延びる部位であれば良い。すなわち、フランジ部がドーム部の底部の周囲に延びることにより、フランジ部からドーム部が突出するようにドーム部材が形成され、フランジ部においてドーム部材を支持することで支持部材からドーム部が突出し、可動部材をドーム部に接触させて緩衝作用を生じさせることができるように構成されていれば良い。また、フランジ部の形状は特に限定されない。例えば、ドーム部の底部が円形である場合に、フランジ部も当該円形の同心円状に円形の外周を有していても良いし、円形以外の形状、例えば、矩形であっても良い。むろん、複数のドーム部のフランジ部同士が連結される構成（シート状のフランジ部の複数の位置にドーム部が形成された構成）であってもよく、種々の構成を採用可能である。
【００１２】
支持部材は、フランジ部においてドーム部材を支持することができればよく、フランジ部を支持部材に取り付けることで支持部材にドーム部材が支持された状態となればよい。支持部材の形状は特に限定されず、薄い板状であっても良いしバルク状であっても良いし、種々の形状を想定可能である。また、支持部材は、複数の部材から構成されていても良く、複数個のドーム部材を複数個の支持部材で支持する構成であっても良いし、１個のドーム部材を複数個の支持部材で支持する構成であっても良い。後者としては、例えば、薄いフランジ部の両面を挟むことによってドーム部材を支持する支持部材を想定可能である。さらに、支持部材においてはドーム部材を支持する機能の他にも種々の機能を備えていて良く、例えば、支持部材が基板である構成等を想定可能である。
【００１３】
穴は、空気の流通と空気の流通以外の機能とが兼用されるように構成されれば良く、穴を構成する部位のいずれかの断面において、一部が流通部を構成し、残部（残部の全てまたは残部の一部）に流通部と異なる機能を有する部材が配置されていれば良い。流通部と異なる機能は、穴の一部に部材を配置することによって達成可能な機能であれば良く、当該機能を有する部材としては、例えば、ドーム部材を支持部材に取り付ける位置を決定する位置決め部材や、フランジ部を支持部材に対して取り付けるための取付部材、フランジ部が支持部材に保持されている力を調整するための調整部材、ドーム部材をスイッチの一部として利用する場合における接点への配線部材等を想定可能である。
【００１４】
なお、ドーム部材をスイッチの一部として利用する場合の構成例としては、例えば、ドーム部が当該ドーム部の内壁に可動接点を備え、支持部材が可動接点との接触が検出される固定接点を備えた基板である構成を想定可能である。この場合、配線部材は固定接点に対する配線部材であることが好ましい。配線部材としては、種々の形態を想定可能であり、基板上に形成された配線パターンであっても良いし、基板上の端子に接続される導電線であってもよい。前者の場合、例えば、スルーホールの内壁に配線部材が存在し、配線部材の内側が流通部となる構成を想定可能である。後者の場合、例えば、可撓性のある導電線を流通部からドーム部の内部に挿入して導電線の一端を固定接点に接続する構成等を採用可能である。むろん、可撓性のある導電線は被覆された銅線等のケーブルであってもよいし、フレキシブル基板のようなフィルム状の線であっても良い。
【００１５】
なお、穴は、位置決め部材や取付部材の位置を規定していても良いし、位置決め部材や取付部材と他の構成部材との間の遊び（隙間）を形成していても良い。また、取付部材においてフランジ部を支持部材に対して取り付けるための手段としては、例えば、ネジ等の締結手段を想定可能である。この場合、ネジ穴を構成するボス等が取付部材となり得る。むろん、ネジ以外にも、例えば、フック等によって取り付け可能に構成されていても良い。調整部材においてフランジ部が支持部材に保持されている力を調整するためには、支持部材に形成された穴に挿入可能な部位をフランジ部に形成し、当該穴に挿入された場合に弾性変形して挿入可能な部位が穴に挿入された状態で維持されるように、当該変形する部位を調整部材とする構成等を採用可能である。
【００１６】
さらに、穴が、フランジ部と支持部材とが接する部位において支持部材に形成される構成であっても良い。すなわち、フランジ部と支持部材とが接する部位は、フランジ部によって支持部が覆われるため、従来、他の構成要素が配置されることはなかった。しかし、フランジ部と支持部材とが接する部位において支持部材に穴を形成し、ドーム部の内側から穴の開口部に至る溝をフランジ部に形成すれば、ドーム部の内外の空気を互いに流通させることが可能になる。この構成によれば、従来においては有効利用されていなかった部位に穴を形成することができ、緩衝装置の周囲の空間を利用する際の自由度を高めることが可能である。
【図面の簡単な説明】
【００１７】
【図１】（１Ａ）は本発明の一実施形態にかかる緩衝装置を備える鍵盤装置の説明図、（１Ｂ）はドーム部材を上方から眺めた状態を示す図、（１Ｃ）はドーム部材を下方から眺めた状態を示す図、（１Ｄ）は支持部材を上方から眺めた状態を示す図であり、（１Ｅ）は緩衝装置の拡大断面図である。
【図２】（２Ａ）は本発明の一実施形態にかかる緩衝装置を備える鍵盤装置の説明図、（２Ｂ）はドーム部材を上方から眺めた状態を示す図、（２Ｃ）はドーム部材を下方から眺めた状態を示す図、（２Ｄ）は、緩衝装置の拡大断面図である。
【図３】（３Ａ）は本発明の一実施形態にかかる緩衝装置を備える鍵盤装置の説明図、（３Ｂ）はドーム部材を上方から眺めた状態を示す図、（３Ｃ）はドーム部材を下方から眺めた状態を示す図、（３Ｄ）は支持部材を上方から眺めた状態を示す図であり、（３Ｅ）は緩衝装置の拡大断面図である。
【図４】（４Ａ）および（４Ｆ）は、緩衝装置の拡大断面図、（４Ｂ）はドーム部材を上方から眺めた状態を示す図、（４Ｃ）はドーム部材を下方から眺めた状態を示す図、（４Ｄ）は支持部材を上方から眺めた状態を示す図、（４Ｅ）はリブおよびボスを下方から眺めた状態を示す図である。
【図５】（５Ａ）（５Ｃ）（５Ｅ）（５Ｆ）は緩衝装置の構成を示す図、（５Ｂ）（５Ｄ）は挿入部の断面図である。
【発明を実施するための形態】
【００１８】
ここでは、下記の順序に従って本発明の実施の形態について説明する。
（１）鍵盤装置の構成：
（２）緩衝装置の構成：
（３）他の実施形態：
【００１９】
（１）鍵盤装置の構成：
図１Ａは本発明の一実施形態にかかる緩衝装置を備える鍵盤装置１の主要部を説明する説明図である。ここでは、鍵盤装置１を演奏可能な状態に配置した状態（図１Ａのように配置した状態）における上下を上下と定義し、鍵盤装置１の演奏者から見た左右を右左と定義し、鍵盤装置の演奏者から見た前後を後前とそれぞれ定義する。従って、図１Ａの上下が上下に対応し、図１Ａの左右が前後に対応し、図１Ａの紙面奥側が右、紙面手前側が左に対応する。なお、後述する他の実施形態、および、図２以降も上下左右の定義は図１Ａと同様である。
【００２０】
鍵盤装置１は、鍵１０を複数個左右方向に並べて支持するための支持部２０を備えており、支持部２０は、当該支持部２０の上部から上方に向けて延びる鍵回動支持部２０ａを備えている。鍵回動支持部２０ａは、支持点を中心にして各鍵１０を回動可能に支持する。また、支持部２０は、支持部２０の上部から上方に向けて延びる鍵ガイド部材２０ｂを備えており、鍵１０の下部には当該鍵ガイド部材２０ｂを挿入可能な穴が形成され、鍵１０が回動する際に、当該穴から鍵ガイド部材２０ｂが脱落しないように構成される。従って、鍵１０は、鍵ガイド部材２０ｂによって回動方向が規制される。
【００２１】
さらに、鍵１０には、鍵１０の下面から下方に延びるとともに支持部２０に形成された穴を貫通するハンマー回動支持部１０ａが取り付けられている。ハンマー回動支持部１０ａの下方の先端には、左右方向に延びる円柱状の突起が取り付けられている。支持部２０の上面は、前後方向の略中央で下方に突出する凹部２０ｃが形成されており、当該凹部２０ｃの下面の前側の端部にはハンマー２１の挿入部２１ｃに対して円柱状の突起を挿入することで当該挿入部２１ｃを回動可能に支持する支持部２０ｄが形成される。
【００２２】
また、ハンマー２１の後側の端部には錘２１ａが取り付けられ、前側の端部にはハンマー回動支持部１０ａの先端の突起を挟むことにより、当該突起を回動中心にして回動可能な挿入部２１ｂが形成される。当該挿入部２１ｂは、２本の部材が一定の幅で延びることによってハンマー回動支持部１０ａの先端の突起を挟む構成となっているため、当該突起を回動中心にして回動がなされる際に挿入部２１ｂと回動中心である突起との相対位置関係は変動し得る。一方、挿入部２１ｃにおいては、支持部２０ｄに形成された円柱状の突起の外周よりわずかに大きい内径の部位を有しており、当該部位に突起が挿入されるため、挿入部２１ｃと回動中心である突起との相対位置関係は変動しない。
【００２３】
従って、ハンマー２１は、通常は、錘２１ａに作用する重力によって錘２１ａがストッパ２２ａに接触する状態で維持されるが、鍵１０が下方に押されるとハンマー回動支持部１０ａが下方に移動することに伴ってハンマー２１が支持部２０ｄを中心に回動する。支持部２０の上面の後端部においては、錘２１ａの回動軌跡上にストッパ２２ｂが取り付けられており、錘２１ａがストッパ２２ｂに接触すると、ハンマー２１の動作が規制され、鍵１０が停止する。
【００２４】
以上のように、鍵盤装置１においては、押鍵によって鍵１０が下方に回動し、押鍵が終了すると、錘２１ａに作用する重力によって鍵１０が通常の位置に復帰するように構成される。本実施形態においては、この構成において押鍵の際にハンマー２１の動作を緩和するとともに、押鍵されたことを検出するため、支持部２０の凹部２０ｃに緩衝装置３０が取り付けられている。
【００２５】
（２）緩衝装置の構成：
緩衝装置３０は、ドーム部材３１と支持部材３２とを備え、凹部２０ｃの上面から上方に突出したフック２０ｃ１、突起２０ｃ２およびネジ２３によって支持部２０に対して取り付けられる。
【００２６】
図１Ｂはドーム部材３１を上方から眺めた状態を示す図であり、図１Ｃはドーム部材３１を下方から眺めた状態を示す図であり、図１Ｄは支持部材３２を上方から眺めた状態を示す図である。なお、図１Ｄにおいては、支持部材３２に取り付けられるネジ２３も併記してある。また、図１Ｅは、図１Ａに示すように緩衝装置３０が支持部２０に取り付けられた状態における拡大断面図であり、当該断面図の切断位置は図１Ｂに示す位置Ａ−Ａである。
【００２７】
本実施形態において、ドーム部材３１は弾性体によって形成され、ドーム部３１ａとフランジ部３１ｂとが一体的に形成される。ドーム部３１ａは中空であるとともに、底部Ｂから頂部Ｓに向けて（図１Ｅ参照）内径および外径が徐々に小さくなるように構成される。すなわち、ドーム部３１ａの壁面は底部Ｂからフランジ部３１ｂに垂直な方向に支持部２０の凹部２０ｃの板厚を超える高さまで延び、所定の高さ以上の部位において、ドーム部３１ａの内径および外径が徐々に小さくなる。その後、さらに、ドーム部３１ａの壁面がフランジ部３１ｂに垂直な方向に延びることによってドーム部３１ａを構成する。また、本実施形態において、ドーム部３１ａは、図１Ａに示す前後方向に長く、左右方向に短い外形を有する。
【００２８】
ドーム部３１ａの頂部Ｓはハンマー２１が接触する部位であり、１個の鍵１０に対して１個のドーム部３１ａが対応するように複数個のドーム部３１ａが形成されて（図面上は５個、鍵の数に対応して複数個のドーム部材３１が左右方向に並べられる）支持部２０に取り付けられる。ドーム部材３１は弾性体によって形成されるため、ハンマー２１がドーム部３１ａの頂部Ｓに接触し、さらにドーム部３１ａを押しつぶすように動作すると、ドーム部３１ａが一方に長い形状であるとともに弾性体であることにより、所定の反作用がハンマー２１に作用する。従って、ドーム部３１ａは、ハンマー２１に対して緩衝作用があり、鍵１０に対して所定の反力を付与する。
【００２９】
フランジ部３１ｂは、ドーム部３１ａの底部においてドーム部３１ａの外壁の外側に延びる部位であり、本実施形態におけるフランジ部３１ｂは薄いシート状の部位である。本実施形態においては、１個のシートから複数個のドーム部３１ａ（図１Ｂに示す例では５個）が突出するようにして形成されるため、複数個のドーム部３１ａによってフランジ部３１ｂが共用される状態となっている。すなわち、複数個のドーム部３１ａが１枚のシート状のフランジ部３１ｂに支えられる状態となっている。
【００３０】
フランジ部３１ｂにおいては、ドーム部３１ａの底部から複数方向に延びる溝３１ｃが形成され、前後方向および角方向に延びる溝３１ｃの端部においてフランジ部３１ｂの厚さ方向に貫通する貫通穴３１ｄが形成される。すなわち、溝３１ｃは、フランジ部３１ｂの厚さの約半分の深さの凹部であるとともに、図１Ｂ、図１Ｃにおいて左右方向に並ぶ５個のドーム部３１ａの中の中央の３個において、溝３１ｃは、左右方向および前後方向の４方向に延びるように形成される。左右方向に延びる溝３１ｃは、隣接するドーム部３１ａの内部まで貫通し、前後方向に延びる溝３１ｃは、一端側はドーム部３１ａと連なり、前後方向の他端部に貫通穴３１ｄが形成される。
【００３１】
図１Ｂ、図１Ｃにおいて左右方向に並ぶ５個のドーム部３１ａの中の端の２個において、溝３１ｅがフランジ部３１ｂの角方向の２方向に延び、溝３１ｃがフランジ部３１ｂの左右方向の１方向に延びるように形成される。左右方向の１方向に延びる溝３１ｃは、一端側で隣接するドーム部３１ａの内部まで貫通している。フランジ部３１ｂの角方向の２方向に延びる溝３１ｅは、角方向の端部に貫通穴３１ｆが形成される。なお、本実施形態において、貫通穴３１ｄの形状はドーム部３１ａの配列方向に長く延びた長円形であり、貫通穴３１ｆの形状はフランジ部３１ｂの角方向に長く延びた長円形であり、当該貫通穴３１ｄ，３１ｆには凹部２０ｃに形成された突起２０ｃ２を挿入可能である。
【００３２】
支持部材３２は、薄い板状の基板であり、左右方向の長さはドーム部材３１の左右方向の長さと同一であり、前後方向の長さはドーム部材３１の前後方向の長さよりも長い。本実施形態において支持部材３２は、前後方向の一方（図１Ｄにおいては前方向）にフランジ部３１ｂを取り付けることが可能である。すなわち、支持部材３２においては、前方側においてフランジ部３１ｂの貫通穴３１ｄの位置に対応した位置に複数個の貫通穴３２ａが形成される。なお、本実施形態において、貫通穴３２ａの径は貫通穴３１ｄの長手方向の長さとほぼ同一であり、当該貫通穴３２ａには凹部２０ｃに形成された突起２０ｃ２を挿入可能である。
【００３３】
支持部２０の凹部２０ｃには、各ドーム部３１ａを下方に向けて突出させるための貫通穴２０ｃ３が形成されており、貫通穴２０ｃ３にドーム部３１ａを挿入した状態で支持部２０の凹部２０ｃにドーム部材３１を取り付けるように構成される。すなわち、支持部２０の凹部２０ｃに形成された突起２０ｃ２は、１個のドーム部３１ａに対して２個対応づけられており、突出方向に垂直な方向の断面が長円形である。突起２０ｃ２の断面の長手方向の長さは、貫通穴３１ｄの長手方向の長さとほぼ同一であるため、突起２０ｃ２を貫通穴３１ｄに挿入することで、凹部２０ｃとドーム部材３１との相対位置関係を規定しながらドーム部材３１を凹部２０ｃに取り付けることができる。
【００３４】
また、貫通穴３２ａの径は貫通穴３１ｄの長手方向の長さとほぼ同一であるため、突起２０ｃ２を貫通穴３２ａに挿入することで、ドーム部材３１と支持部材３２との相対位置関係を規定しながら支持部材３２をドーム部材３１に取り付けることができる。従って、突起２０ｃ２は、ドーム部材３１を支持部材３２に取り付ける位置を決定する位置決め部材として機能する。なお、支持部材３２をドーム部材３１に取り付けた状態において、支持部材３２の前方側の端部は上述のフック２０ｃ１に取り付けられ、支持部材３２の後方側はネジ２３によって締結固定される。
【００３５】
一方、凹部２０ｃに対してドーム部材３１を取り付け、ドーム部材３１に対して支持部材３２を取り付けた状態においては、図１Ｅにおける突起２０ｃ２の周囲に示されるように溝３１ｃと貫通穴３２ａとがつながった状態となり、ドーム部３１ａの内部と外部（支持部材３２の上方側の空間）との空気を互いに流通させる流通部を形成している状態となる。従って、ハンマー２１がドーム部３１ａの頂部Ｓに接触してドーム部３１ａを弾性変形させる際に、ドーム部３１ａの内部の空気が外部に流通し、ドーム部３１ａを容易に変形させることが可能である。
【００３６】
さらに、本実施形態においては、溝３１ｃと貫通穴３２ａとによって形成される流通部に隣接して突起２０ｃ２が存在する。そして、突起２０ｃ２は、ドーム部材３１を支持部材３２に取り付ける位置を決定する位置決め部材であるため、溝３１ｃ、貫通穴３１ｄおよび貫通穴３２ａで形成される穴は、ドーム部３１ａの内外の空気を互いに流通させる機能と、ドーム部材３１を支持部材３２に取り付ける位置を決定する機能とを兼ね備えた穴である。
【００３７】
具体的には、図１Ｅに示すような支持部材３２に平行に切断した断面Ｃを想定すると、当該断面Ｃの一部が流通部であり、断面Ｃの残部が位置決め部材である突起２０ｃ２である。以上の構成によれば、空気の流通とは異なる機能である位置決め機能を実現するために専用の位置決め部材を設ける必要はなく、空気の流通部と兼用される穴で当該機能を実現することができる。従って、空気の流通と異なる機能を実現するために専用の部材を設ける構成と比較して、緩衝装置３０の周囲の空間を利用する際の自由度を高めることができる。
【００３８】
なお、ドーム部３１ａの頂部Ｓは、ハンマー２１のアクチュエータ２１ｄが接触する部位であり、本実施形態においては、頂部Ｓから底部Ｂに向けて突出する中空の突起が３個形成される。当該３個の突起のうち中央に位置する突起の先端（ドーム部３１ａの内部の先端）は、鍵１０の動作を検出するためのスイッチの可動接点である。すなわち、支持部材３２は基板であり、当該可動接点が接触したことを検出するための固定接点が各ドーム部３１ａの内部に形成される。また、固定接点に対して可動接点が接触した場合、当該接触を示す信号が支持部材３２上の図示しない配線に出力され、当該信号に基づいて各鍵１０が押鍵された状態を特定することで、鍵１０の演奏操作に応じた音を生成することが可能になる。
【００３９】
（３）他の実施形態：
以上の実施形態は本発明を実施するための一例であり、空気を流通させるための機能と他の機能とが兼用される穴が形成される限りにおいて、他にも種々の実施形態を採用可能である。例えば、ドーム部材および支持部材が鍵に取り付けられる構成を採用しても良い。
【００４０】
（第２実施形態）
図２Ａは本発明の一実施形態にかかる緩衝装置を備える鍵盤装置２の主要部を説明する説明図である。鍵盤装置２は、鍵１００を複数個左右方向に並べて支持するための支持部２００を備えており、支持部２００は、当該支持部２００の上部から上方に向けて延びる鍵回動支持部２００ａと、鍵１００の左右方向の変位を規制する鍵ガイド２００ｂとを備えている。鍵回動支持部２００ａは、支持点を中心にして各鍵１００を回動可能に支持する。各鍵１００の前方端には、下方に延びるとともに支持部２００の前方端に形成された穴に挿入される鍵上限ストッパ１００ａを備えている。
【００４１】
鍵上限ストッパ１００ａは、下部において後方に屈曲する屈曲部を備え、当該屈曲部と支持部２００の上面との間においては、支持部２００の上面の裏側にストッパ２２０ａが取り付けられている。また、鍵上限ストッパ１００ａが挿入される支持部２００の穴は下方に延びており、鍵１００が回動する際に当該穴から鍵上限ストッパ１００ａが脱落しないように構成される。従って、鍵１００は、鍵上限ストッパ１００ａによって回動方向が規制される。
【００４２】
さらに、鍵１００の下面と支持部２００の上面とには、コイルバネ２１０が連結される。図２Ａに示す状態は、鍵１００の下面と支持部２００の上面とに対してコイルバネ２１０が延びる方向の力が作用した状態である。従って、通常の状態においては鍵上限ストッパ１００ａがストッパ２２０ａに接触した状態、すなわち、鍵１００が図２Ａに示す状態となっており、押鍵されると鍵１００は鍵回動支持部２００ａの支持点を回動中心にして回動する。なお、支持部２００の上面にはストッパ２２０ｂが取り付けられており、押鍵によって鍵１００が回動すると、鍵１００の下面がストッパ２２０ｂに接触して鍵１００の動作が規制され、停止する。なお、上記の説明は白鍵で代表して説明したが、黒鍵１１０も同様の構造である。
【００４３】
以上のように、鍵盤装置２においては、押鍵によって鍵１００が下方に回動し、押鍵が終了すると、コイルバネ２１０から鍵１００に作用する力によって鍵１００が通常の位置に復帰するように構成される。本実施形態においては、この構成において鍵１００への押鍵の際に鍵１００の動作を緩和するとともに、鍵１００が押鍵されたことを検出するため、鍵１００の下面に形成された凹部１００ｂに緩衝装置３００が取り付けられている。
【００４４】
緩衝装置３００は、ドーム部材３１０と支持部材３２０とを備えており、支持部材３２０が凹部１００ｂに取り付けられ、ドーム部材３１０が支持部材３２０に取り付けられる。図２Ｂはドーム部材３１０を上方から眺めた状態を示す図であり、図２Ｃはドーム部材３１０を下方から眺めた状態を示す図であり、図２Ｄは、図２Ａに示すように緩衝装置３００が支持部２００に取り付けられた状態における拡大断面図であり、当該断面図の切断位置は図２Ｂに示す位置Ａ−Ａである。
【００４５】
支持部材３２０は凹部１００ｂに嵌まる形状の板状の部材として形成されており、四隅のそれぞれに一方の面に略垂直な方向に延びる突起３２０ａが形成される。本実施形態においては、当該突起３２０ａが下方に向けられた状態で支持部材３２０が凹部１００ｂに取り付けられる。
【００４６】
ドーム部材３１０は弾性体によって形成され、ドーム部３１０ａとフランジ部３１０ｂとが一体的に形成される。ドーム部３１０ａは中空であるとともに、底部Ｂから頂部Ｓに向けて（図２Ｄ参照）内径および外径が徐々に小さくなるように構成される。すなわち、ドーム部３１０ａの壁面は底部Ｂからフランジ部３１０ｂに垂直な方向に延び、所定の高さ以上の部位において、ドーム部３１０ａの内径および外径が徐々に小さくなる。その後、さらに、ドーム部３１０ａの壁面がフランジ部３１０ｂに垂直な方向に延びることによってドーム部３１０ａを構成する。また、本実施形態において、フランジ部３１０ｂに対して垂直な方向からドーム部３１０ａを眺めた場合にドーム部３１ａは円形である。
【００４７】
支持部２００の上面の、ドーム部３１０ａの直下に相当する部位には上方に突出する凸部２００ｃが形成されており、鍵１００が回動する過程で頂部Ｓが当該凸部２００ｃに接触する。鍵１００がさらに回動してドーム部３１０ａを押しつぶすように動作すると、ドーム部３１０ａが弾性体であることにより、所定の反作用が鍵１００に作用する。従って、ドーム部３１０ａは、鍵１００に対して緩衝作用がある。
【００４８】
フランジ部３１０ｂは、ドーム部３１０ａの底部においてドーム部３１０ａの外壁の外側に延びる部位であり、本実施形態におけるフランジ部３１０ｂは薄いシート状の部位である。本実施形態においては、１個のシートから１個のドーム部３１０ａが突出するようにして形成される。
【００４９】
フランジ部３１０ｂにおいては、ドーム部３１０ａの底部から４方向（フランジ部３１０ｂの角に向けた方向）に延びる溝３１０ｃと溝３１０ｃの端部においてフランジ部３１０ｂの厚さ方向に貫通する貫通穴３１０ｄとが形成される。すなわち、溝３１０ｃは、フランジ部３１０ｂの厚さの約半分の深さの凹部であるとともに、溝３１０ｃの端部に貫通穴３１０ｄが形成される。本実施形態において、貫通穴３１０ｄの形状は長円形であり、当該貫通穴３１０ｄには支持部材３２０に形成された突起３２０ａを挿入可能である。
【００５０】
すなわち、支持部材３２０においては、フランジ部３１０ｂの貫通穴３１０ｄの位置に対応した位置に突起３２０ａが形成されており、突起３２０ａを貫通穴３１０ｄに挿入することで、支持部材３２０とドーム部材３１０との相対位置関係を規定しながらドーム部材３１０を支持部材３２０に取り付けることができる。従って、突起３２０ａは、ドーム部材３１０を支持部材３２０に取り付ける位置を決定する位置決め部材として機能する。なお、図２Ｄに示す例において、突起３２０ａは先端が太くなっており、当該太い部位が存在することによってドーム部材３１０が支持部材３２０から脱落しにくくなっている。むろん、当該太い部位はドーム部材３１０を支持部材３２０に取り付ける前に形成されていても良いし、ドーム部材３１０を支持部材３２０に取り付けた後に溶着等によって形成されても良い。
【００５１】
支持部材３２０に対してドーム部材３１０を取り付けた状態においては、図２Ｄに示すように溝３１０ｃおよび貫通穴３１０ｄで形成される一連の穴でドーム部３１０ａの内外がつながった状態となり、ドーム部３１０ａの内部と外部との空気を互いに流通させる流通部を形成する状態となる。従って、鍵１００がドーム部３１０ａの頂部Ｓに接触してドーム部３１０ａを弾性変形させる際に、ドーム部３１０ａの内部の空気が外部に流通し、ドーム部３１０ａを容易に変形させることが可能である。
【００５２】
さらに、本実施形態においては、溝３１０ｃと貫通穴３１０ｄとによって形成される流通部に隣接して決定する位置決め部材として機能する突起３２０ａが存在する。従って、溝３１０ｃ、貫通穴３１０ｄで形成される穴は、ドーム部３１０ａの内外の空気を互いに流通させる機能と、ドーム部材３１０を支持部材３２０に取り付ける位置を決定する機能とを兼ね備えた穴である。
【００５３】
具体的には、図２Ｄに示すような支持部材３２０に平行に切断した断面Ｃを想定すると、当該断面Ｃの一部が流通部であり、断面Ｃの残部が位置決め部材である突起３２０ａである。以上の構成によれば、空気の流通とは異なる機能である位置決め機能を実現するために専用の位置決め部材を設ける必要はなく、空気の流通部と兼用される穴で当該機能を実現することができる。従って、空気の流通と異なる機能を実現するために専用の部材を設ける構成と比較して、緩衝装置３００の周囲の空間を利用する際の自由度を高めることができる。
【００５４】
なお、ドーム部３１０ａの頂部Ｓは、鍵１００の回動によって弾性変形する部位であり、ドーム部３１０ａの内部における頂部Ｓの裏側には鍵１００の動作を検出するためのスイッチの可動接点３１０ｅが取り付けられている。すなわち、ドーム部材３１０は、支持部材３２０とドーム部材３１０との間にフレキシブル基板３２０ｃが挟まれた状態で支持部材３２０に取り付けられており、フレキシブル基板３２０ｃには可動接点３１０ｅが接触したことを検出するための固定接点３２０ｂが取り付けられている。固定接点３２０ｂに対して可動接点が接触した場合、当該接触を示す信号がフレキシブル基板３２０ｃ上の図示しない配線に出力され、当該信号に基づいて各鍵１００が押鍵された状態を特定することで、鍵１００の演奏操作に応じた音を生成することが可能になる。
【００５５】
（第３実施形態）
図３Ａは本発明の一実施形態にかかる緩衝装置を備える鍵盤装置３の主要部を説明する説明図である。鍵盤装置３は、鍵上限ストッパの向きと、緩衝装置の構造、取付構造等を除き、図２と同様の構造を有しており、同様の構造については同一の図番を付し、その説明を省略する。本実施形態においては、この構成において鍵１００への押鍵の際に鍵１００の動作を緩和するとともに、鍵１００が押鍵されたことを検出するため、支持部２００の上部に緩衝装置３０１が取り付けられている。
【００５６】
緩衝装置３０１は、ドーム部材３１１と支持部材３２１とを備えており、支持部２００の上部から下方に延びる支柱２０１ｃに支持部材３２１が取り付けられ、支持部材３２１上にドーム部材３１１が取り付けられることにより、緩衝装置３０１が支持部２００に取り付けられる。
【００５７】
図３Ｂはドーム部材３１１を上方から眺めた状態を示す図であり、図３Ｃはドーム部材３１１を下方から眺めた状態を示す図であり、図３Ｄは支持部材３２１を上方から眺めた状態を示す図である。また、図３Ｅは、図３Ａに示すように緩衝装置３０１が支持部２００に取り付けられた状態における拡大断面図であり、当該断面図の切断位置は図３Ｃに示す位置Ａ−Ａおよび位置Ｄ−Ｄである。
【００５８】
本実施形態において、ドーム部材３１１は弾性体によって形成され、ドーム部３１１ａとフランジ部３１１ｂとが一体的に形成される。ドーム部３１１ａは中空であるとともに、底部Ｂから頂部Ｓに向けて（図３Ｅ参照）内径および外径が徐々に小さくなるように構成される。すなわち、ドーム部３１１ａの壁面は底部Ｂからフランジ部３１１ｂに垂直な方向に延び、所定の高さ以上の部位において、ドーム部３１１ａの内径および外径が徐々に小さくなる。その後、さらに、ドーム部３１１ａの壁面がフランジ部３１１ｂに垂直な方向に延びることによってドーム部３１１ａを構成する。また、本実施形態において、フランジ部３１１ｂに対して垂直な方向からドーム部３１１ａを眺めた場合にドーム部３１ａは円形である。
【００５９】
ドーム部３１１ａの頂部Ｓは鍵１００の下面から突出する突起１０１ｂが接触する部位でありドーム部材３１１は弾性体によって形成される。従って、鍵１００の回動によって突起１０１ｂがドーム部３１１ａの頂部Ｓに接触し、さらにドーム部３１１ａを押しつぶすように動作すると、所定の反作用が鍵１００に作用する。従って、ドーム部３１１ａは、鍵１００に対して緩衝作用がある。
【００６０】
フランジ部３１１ｂは、ドーム部３１１ａの底部においてドーム部３１１ａの外壁の外側に延びる部位であり、本実施形態におけるフランジ部３１１ｂは薄いシート状の部位である。本実施形態においては、１個のシートから複数個のドーム部３１１ａ（図３Ｂに示す例では５個）が突出するようにして形成されるため、複数個のドーム部３１１ａによってフランジ部３１１ｂが共用される状態となっている。すなわち、複数個のドーム部３１１ａが１枚のシート状のフランジ部３１１ｂに支えられる状態となっている。
【００６１】
フランジ部３１１ｂにおいては、ドーム部３１１ａが並ぶ方向（左右方向）に平行な方向および垂直な方向に複数個の溝３１１ｃが形成されており、各溝３１１ｃとドーム部３１１ａの内部がつながっている。すなわち、溝３１１ｃは、フランジ部３１１ｂの厚さの約半分の深さの凹部であるとともに、図３Ｂ、図３Ｃにおいて左右方向に並ぶ５個のドーム部３１１ａの中の中央の３個において、溝３１１ｃは、左右方向の２方向に延びるように形成される。左右方向に延びる溝３１１ｃは、隣接するドーム部３１１ａの内部まで貫通している。隣接するドーム部３１１ａの間には前後方向に延びる溝３１１ｃが形成され、当該前後方向に延びる溝３１１ｃはドーム部３１１ａの前方および後方で左右方向に延びる溝３１１ｃに連結される。
【００６２】
ドーム部３１１ａの前方および後方で左右方向に延びる溝３１１ｃのそれぞれには下方から眺めた場合に円形となる凹部が形成されており、当該凹部の中心には凹部よりも径の小さい円形の貫通穴３１１ｄが４カ所に形成される。なお、本実施形態において、貫通穴３１１ｄの形状は円形であり、当該貫通穴３１１ｄには支持部２００の上面から下方に延びる突起２３１を挿入可能である。すなわち、突起２３１は、先端部と根元の部位とで径が変わる略柱状の部材であり、先端部の細い径の部分を貫通穴３１１ｄに挿入することが可能である。
【００６３】
支持部材３２１は、薄い板状の基板であり、左右方向の長さは複数の鍵１００を左右方向に並べた場合の長さより長く、前後方向の長さはドーム部材３１１の前後方向の長さよりも長い。本実施形態において支持部材３２１には、左右方向に複数個、前後方向の２個並ぶように貫通穴３２１ａが形成される。なお、貫通穴３２１ａは貫通穴３１１ｄに対応する位置に形成されており、支持部材３２１とドーム部材３１１とを重ねた場合に貫通穴３１１ｄと貫通穴３２１ａと溝３１１ｃの円形の凹部とによって一連の貫通穴を形成することができる。また、本実施形態において、貫通穴３２１ａの径は貫通穴３１１ｄの円形の凹部の径とほぼ同一であり、当該貫通穴３１１ｄの径よりも小さい。
【００６４】
ドーム部材３１１は、突起２３１の先端部の細い径の部分が貫通穴３１１ｄに挿入された状態で、支持部材３２１をドーム部材３１１の下方に配置して支柱２０１ｃに取り付けることによって、支柱２０１ｃと支持部材３２１との間に取り付けられる。一方、突起２３１の先端の径は支持部材３２１の貫通穴３２１ａの径より細いため、貫通穴３２１ａは突起２３１の寸法ずれ等を保証するための遊び（隙間）となっている。ただし、支持部材３２１の取付位置は支柱２０１ｃによって規定され、支柱２０１ｃと突起２３１とは支持部２００に取り付けられている。従って、本実施形態においては、突起２３１によってドーム部材３１１と支持部材３２１との相対位置関係を規定しながらドーム部材３１１を支持部２００に取り付けることができる。このため、突起２３１は、ドーム部材３１１を支持部材３２１に取り付ける位置を決定する位置決め部材として機能する。
【００６５】
一方、突起２３１と支持部材３２１との間にドーム部材３１１を取り付けた状態においては、貫通穴３２１ａを除き、ドーム部材３１１の溝３１１ｃが支持部材３２１で覆われた状態となる。従って、溝３１１ｃおよび貫通穴３２１ａを介して、ドーム部３１１ａの内部と外部（支持部材３２１の下方側の空間）とがつながった状態となる。すなわち、ドーム部３１１ａの内部と外部との空気を互いに流通させる流通部が形成される状態となる。従って、鍵１００の突起１０１ｂがドーム部３１１ａの頂部Ｓに接触してドーム部３１１ａを弾性変形させる際に、ドーム部３１１ａの内部の空気が外部に流通し、ドーム部３１１ａを容易に変形させることが可能である。
【００６６】
さらに、本実施形態においては、突起２３１が溝３１１ｃおよび貫通穴３２１ａによって形成される流通部を貫通している。そして、突起２３１は、ドーム部材３１１を支持部材３２１に取り付ける位置を決定する位置決め部材である。従って、図３Ｅに示すような支持部材３２１に平行に切断した断面Ｃを想定すると、当該断面Ｃの一部が流通部であり、断面Ｃの残部が位置決め部材である突起２３１である。以上の構成によれば、空気の流通とは異なる機能である位置決め機能を実現するために専用の位置決め部材を設ける必要はない。従って、空気の流通と異なる機能を実現するために専用の部材を他の位置に設ける構成と比較して、緩衝装置３０１の周囲の空間を利用する際の自由度を高めることができる。
【００６７】
なお、ドーム部３１１ａの頂部Ｓは、鍵１００が接触する部位であり、本実施形態においては、頂部Ｓから底部Ｂに向けて突出する中空の突起が形成される。当該突起の先端（ドーム部３１１ａの内部の先端）は、鍵１００の動作を検出するためのスイッチの可動接点である。すなわち、支持部材３２１は基板であり、当該可動接点が接触したことを検出するための図示しない固定接点が各ドーム部３１１ａの内部に形成される。また、固定接点に対して可動接点が接触した場合、当該接触を示す信号が支持部材３２１上の図示しない配線に出力され、当該信号に基づいて各鍵１００が押鍵された状態を特定することで、鍵１００の演奏操作に応じた音を生成することが可能になる。
【００６８】
（第４実施形態）
さらに、図３Ａに示す鍵盤装置３において、突起２３１の代わりにリブとボスとを利用したネジによる締結によって図３Ａに示す緩衝装置３０１と異なる緩衝装置３０２を支持部２００に取り付ける構成としても良い。図４Ａ〜図４Ｆは、当該緩衝装置３０２と周囲のリブおよびボスを詳細に示す図であり、緩衝装置３０２はこれらの図に示すドーム部３１１および支持部材３２１を備えている。図４Ｂはドーム部材３１１を上方から眺めた状態を示す図であり、図４Ｃはドーム部材３１１を下方から眺めた状態を示す図であり、図４Ｄは支持部材３２１を上方から眺めた状態を示す図である。図４Ｅはリブ２０２ｃおよびボス２０２ｄを下方から眺めた状態を示す図である。図４Ａおよび図４Ｆは、緩衝装置３０２が支持部２００に取り付けられた状態における拡大断面図である。図４Ａに示す断面図の切断位置は図４Ｂに示す位置Ａ−Ａおよび位置Ｄ−Ｄであり、図４Ｆに示す断面図の切断位置は図４Ｃに示す位置Ｅ−Ｅである。
【００６９】
緩衝装置３０２は、ドーム部材３１１と支持部材３２１とを備えており、支持部２００の上部から下方に延びるボス２０２ｄに支持部材３２１が取り付けられる。すなわち、支持部２００の上部から下方および左右方向に延びるリブ２０２ｃの間および端に一定間隔でボス２０２ｄが形成されており、ボス２０２ｄはネジ２３２を取り付けられるネジ穴となっている。ボス２０２ｄの上下方向の長さはリブ２０２ｃの上下方向の長さよりもフランジ部３１１ｂの厚さに相当する長さだけ長く、ボス２０２ｄの下端がリブ２０２ｃの下端より突出する。支持部材３２１およびドーム部材３１１には、ボス２０２ｄに対応する位置に貫通穴が形成されており（詳細は後述）、当該ボス２０２ｄの下端をドーム部材３１１の貫通穴に挿入した状態で、支持部材３２１の貫通穴にネジを取り付けることによって緩衝装置３０２が支持部２００に取り付けられる。
【００７０】
本実施形態において、ドーム部材３１１は貫通穴３１２ｄ、緩衝装置３０２の取付構造等を除き、図３と同様の構造を有しており、同様の構造については同一の図番を付し、その説明を省略する。
【００７１】
ドーム部３１１ａの前方および後方で左右方向に延びる溝３１１ｃのそれぞれには下方から眺めた場合に円形となる貫通穴３１２ｄが４カ所に形成される。当該貫通穴３１２ｄの内径はボス２０２ｄの外形よりわずかに大きいため、上述のようにボス２０２ｄに対して貫通穴３１２ｄに挿入可能である。
【００７２】
支持部材３２１は、薄い板状の基板であり、左右方向の長さは複数の鍵１００を左右方向に並べた場合の長さより長く、前後方向の長さはドーム部材３１１の前後方向の長さよりも長い。本実施形態において支持部材３２１には、左右方向に複数個、前後方向の２個並ぶように貫通穴３２１ａが形成される。なお、貫通穴３２１ａは貫通穴３１２ｄに対応する位置に形成されており、支持部材３２１とドーム部材３１１とを重ねた場合に貫通穴３１２ｄと貫通穴３２１ａとによって一連の貫通穴を形成することができる。また、本実施形態において、貫通穴３２１ａは左右方向に長い長円形であり、幅はネジ２３２を締結のために挿入可能な幅であるとともに、長さはネジ２３２のネジ頭の径よりも長い。
【００７３】
ドーム部材３１１は、ボス２０２ｄの下端が貫通穴３１２ｄに挿入された状態で支持部材３２１をドーム部材３１１の下方に配置し、ネジ２３２をボス２０２ｄに締め付けることによって、リブ２０２ｃと支持部材３２１との間に取り付けられる。従って、本実施形態においては、ボス２０２ｄおよびネジ２３２によってドーム部材３１１と支持部材３２１との相対位置関係を規定しながらドーム部材３１１を支持部２００に取り付けることができる。このため、ボス２０２ｄおよびネジ２３２は、ドーム部材３１１を支持部材３２１に取り付ける位置を決定する位置決め部材として機能する。
【００７４】
一方、リブ２０２ｃと支持部材３２１との間にドーム部材３１１を取り付けた状態においては、貫通穴３２１ａを除き、ドーム部材３１１の溝３１１ｃが支持部材３２１で覆われた状態となる。また、貫通穴３２１ａの左右方向の長さは、ネジ２３２のネジ頭の径よりも長い。従って、溝３１１ｃおよび貫通穴３２１ａを介して、ドーム部３１１ａの内部と外部（支持部材３２１の下方側の空間）とがつながった状態となる。すなわち、ドーム部３１１ａの内部と外部との空気を互いに流通させる流通部が形成される状態となる。従って、鍵１００の突起１０１ｂがドーム部３１１ａの頂部Ｓに接触してドーム部３１１ａを弾性変形させる際に、ドーム部３１１ａの内部の空気が外部に流通し、ドーム部３１１ａを容易に変形させることが可能である。
【００７５】
さらに、本実施形態においては、ボス２０２ｄおよびネジ２３２が溝３１１ｃおよび貫通穴３２１ａによって形成される流通部を貫通している。そして、ボス２０２ｄおよびネジ２３２は、ドーム部材３１１を支持部材３２１に取り付ける位置を決定する位置決め部材である。従って、図４Ａに示すような支持部材３２１に平行に切断した断面Ｃを想定すると、当該断面Ｃの一部が流通部であり、断面Ｃの残部が位置決め部材であるボス２０２ｄおよびネジ２３２である。以上の構成によれば、空気の流通とは異なる機能である位置決め機能を実現するために専用の位置決め部材を設ける必要はない。従って、空気の流通と異なる機能を実現するために専用の部材を他の位置に設ける構成と比較して、緩衝装置３０２の周囲の空間を利用する際の自由度を高めることができる。
【００７６】
なお、ドーム部３１１ａの頂部Ｓは、鍵１００が接触する部位であり、本実施形態においては、頂部Ｓから底部Ｂに向けて突出する中空の突起が形成される。当該突起の先端（ドーム部３１１ａの内部の先端）は、鍵１００の動作を検出するためのスイッチの可動接点である。すなわち、支持部材３２１は基板であり、当該可動接点が接触したことを検出するための図示しない固定接点が各ドーム部３１１ａの内部に形成される。また、固定接点に対して可動接点が接触した場合、当該接触を示す信号が支持部材３２１上の図示しない配線に出力され、当該信号に基づいて各鍵１００が押鍵された状態を特定することで、鍵１００の演奏操作に応じた音を生成することが可能になる。
【００７７】
(変形例）
本発明の各実施の形態では、種々の変形例が考えられる。例えば、ドーム部材と支持部材との相対位置関係を規定する位置決め部材がドーム部材に形成されていても良い。図５Ａは、ドーム部材３１３および支持部材３２３によって構成される緩衝装置の構成を示す図であり、ドーム部材３１３が支持部材３２３に取り付けられた状態を示す断面図である。同図に示す例において、ドーム部材３１３は、薄い板状のフランジ部３１３ｂと底部Ｂから頂部Ｓに向けてフランジ部３１３ｂに対して垂直な方向に突出するドーム部３１３ａとを備えている。また、フランジ部３１３ｂは、底部Ｂから頂部Ｓと逆側に向けてフランジ部３１３ｂに対して垂直な方向に延びる挿入部３１３ｄを備えている。
【００７８】
挿入部３１３ｄは中空であるとともに挿入部３１３ｄの外壁の一部が切り欠かれており、挿入部３１３ｄの軸に垂直な方向の断面（切断位置Ｃにおける断面）は図５Ｂに示す形状となっている。また、挿入部３１３ｄの外径は板状の支持部材３２３に形成された貫通穴３２３ａの径よりもわずかに大きくなっている。従って、挿入部３１３ｄの外径を小さくするように弾性変形させながら貫通穴３２３ａに挿入部３１３ｄを挿入することができる。このように、挿入部３１３ｄは、ドーム部材３１３と支持部材３２３との相対位置関係を規定する位置決め部材であるとともに、位置決め部材（挿入部３１３ｄ）から貫通穴３２３ａに作用する力の調整部材として機能する。
【００７９】
さらに、フランジ部３１３ｂにおいては、ドーム部３１３ａの内部と挿入部３１３ｄの中空部とを連結する溝３１３ｃが形成される。従って、溝３１３ｃおよび挿入部３１３ｄの中空部を介して、ドーム部３１３ａの内部と外部とがつながった状態となる。すなわち、ドーム部３１３ａの内部と外部との空気を互いに流通させる流通部が形成される状態となる。従って、鍵等の可動部材が頂部Ｓに接触してドーム部３１３ａを弾性変形させる際に、ドーム部３１３ａの内部の空気が外部に流通し、ドーム部３１３ａを容易に変形させることが可能である。
【００８０】
さらに、図５Ａに示すような支持部材３２３に平行に切断した断面Ｃを想定すると、当該断面Ｃの一部が流通部であり、断面Ｃの残部が位置決め部材および位置決め部材から貫通穴３２３ａに作用する弾性力の調整部材である。以上の構成によれば、空気の流通とは異なる機能である位置決め機能および弾性力調整機能を実現するために専用の位置決め部材を設ける必要はない。従って、空気の流通と異なる機能を実現するために専用の部材を他の位置に設ける構成と比較して、緩衝装置の周囲の空間を利用する際の自由度を高めることができる。
【００８１】
なお、挿入部３１３ｄの形状は図５Ａ，図５Ｂに示す例に限定されない。例えば、図５Ｃに示すように、断面Ｃにおける切断面の形状（図５Ｄ参照）が十字状になる挿入部３１４ｄを備えるドーム部材３１４を形成しても良い。
【００８２】
さらに、弾性力を調整するための部材以外の部材が空気の流通部に挿入される構成であっても良い。図５Ｅは、ドーム部材３１５および支持部材３２５によって構成される緩衝装置の構成を示す図であり、ドーム部材３１５が支持部材３２５に取り付けられた状態を示す断面図である。同図に示す例において、ドーム部材３１５は、薄い板状のフランジ部３１５ｂと底部Ｂから頂部Ｓに向けてフランジ部３１５ｂに対して垂直な方向に突出するドーム部３１５ａとを備えており、ドーム部材３１５は接着等によって支持部材３２５に取り付けられる。
【００８３】
さらに、支持部材３２５には貫通穴３２５ａが形成されており、ドーム部材３１５は貫通穴３２５ａの一方の端部がドーム部３１５ａの内部で開口するように支持部材３２５に対して取り付けられる。従って、鍵等の可動部材が頂部Ｓに接触してドーム部３１５ａを弾性変形させる際に、ドーム部３１５ａの内部の空気が外部に流通し、ドーム部３１５ａを容易に変形させることが可能である。
【００８４】
本実施形態においては、ドーム部３１５ａの頂部Ｓの裏側には、鍵の動作を検出するためのスイッチの可動接点３１５ｅが取り付けられている。また、ドーム部３１５ａの内部においては、支持部材３２５上に固定接点３１５ｆが取り付けられている。そして、当該固定接点３１５ｆに対しては信号線３１５ｇが接続されており、固定接点３１５ｆに対して可動接点３１５ｅが接触した場合、当該接触を示す信号が信号線３１５ｇに出力され、当該信号に基づいて各鍵が押鍵された状態を特定することで、鍵の演奏操作に応じた音を生成することが可能になる。
【００８５】
以上の構成において、図５Ｅに示すような支持部材３２５に平行に切断した断面Ｃを想定すると、当該断面Ｃの一部がドーム部３１５ａの内外の空気を流通させる流通部であり、断面Ｃの残部が信号線３１５ｇからなる配線部材である。以上の構成によれば、空気の流通とは異なる機能である配線機能を実現するために専用の配線スペースを設ける必要はない。従って、空気の流通と異なる機能を実現するために専用の部材を他の位置に設ける構成と比較して、緩衝装置の周囲の空間を利用する際の自由度を高めることができる。
【００８６】
さらに、スイッチの配線のための部材は可撓性のあるケーブルに限定されない。図５Ｆは、ドーム部材３１６および支持部材３２６によって構成される緩衝装置の構成を示す図であり、ドーム部材３１６が支持部材３２６に取り付けられた状態を示す断面図である。同図に示す例において、ドーム部材３１６は、薄い板状のフランジ部３１６ｂと底部Ｂから頂部Ｓに向けてフランジ部３１６ｂに対して垂直な方向に突出するドーム部３１６ａとを備えており、ドーム部材３１６は接着等によって支持部材３２６に取り付けられる。
【００８７】
さらに、支持部材３２６には貫通穴３２６ａが形成されており、ドーム部材３１６は貫通穴３２６ａの一方の端部がフランジ部３１６ｂの直下に配置された状態で支持部材３２６に対して取り付けられる。また、フランジ部３１６ｂにおいては、ドーム部３１６ａの内部と貫通穴３２６ａの開口部とを連結する溝３１６ｃが形成される。従って、溝３１６ｃおよび貫通穴３２６ａを介して、ドーム部３１６ａの内部と外部とがつながった状態となる。すなわち、ドーム部３１６ａの内部と外部との空気を互いに流通させる流通部が形成される状態となる。従って、鍵等の可動部材が頂部Ｓに接触してドーム部３１６ａを弾性変形させる際に、ドーム部３１６ａの内部の空気が外部に流通し、ドーム部３１６ａを容易に変形させることが可能である。
【００８８】
本実施形態においては、ドーム部３１６ａの頂部Ｓの裏側には、鍵の動作を検出するためのスイッチの可動接点３１６ｅが取り付けられている。また、支持部材３２６は基板であり、ドーム部３１６ａの内部の支持部材３２６上に固定接点３１６ｆが形成される。そして、当該固定接点３１６ｆに対しては支持部材３２６上の配線が接続されるとともに当該配線は貫通穴３２６ａの内壁に形成された配線３１６ｇに接続される。そして、固定接点３１６ｆに対して可動接点３１６ｅが接触した場合、当該接触を示す信号が配線３１６ｇに出力され、当該信号に基づいて各鍵が押鍵された状態を特定することで、鍵の演奏操作に応じた音を生成することが可能になる。
【００８９】
以上の構成において、図５Ｅに示すような支持部材３２６に平行に切断した断面Ｃを想定すると、当該断面Ｃの一部がドーム部３１６ａの内外の空気を流通させる流通部であり、断面Ｃの残部が配線３１６ｇからなる配線部材である。以上の構成によれば、空気の流通とは異なる機能である配線機能を実現するために専用の配線スペースを設ける必要はない。従って、空気の流通と異なる機能を実現するために専用の部材を他の位置に設ける構成と比較して、緩衝装置の周囲の空間を利用する際の自由度を高めることができる。
【００９０】
なお、以上の例においては、断面の一部がドーム部の内外の空気を互いに流通させる流通部であるとともに、断面の残部に流通部と異なる機能を有する部材が配置された穴が形成されており、当該流通部と異なる機能を有する部材は断面の残部の全てを占めていた。しかし、当該流通部と異なる機能を有する部材は断面の残部の少なくとも一部を占めていれば良く、他の部材が存在しても良い。例えば、断面を残部が位置決めの部材と配線部材とである構成等を採用可能である。
【符号の説明】
【００９１】
１０…鍵、１０ａ…ハンマー回動支持部、２０…支持部、２０ａ…鍵回動支持部、２０ｂ…鍵ガイド部材、２０ｃ…凹部、２０ｃ１…フック、２０ｃ２…突起、２０ｃ３…貫通穴、２０ｄ…支持部、２１…ハンマー、２１ａ…錘、２１ｂ…挿入部、２１ｃ…挿入部、２２ａ，２２ｂ…ストッパ、２３…ネジ、３０…緩衝装置、３１…ドーム部材、３１ａ…ドーム部、３１ｂ…フランジ部、３１ｃ…溝、３１ｄ…貫通穴、３２…支持部材、３２ａ…貫通穴
【図１】
2015138659.tif 000003
【図２】
2015138659.tif 000004
【図３】
2015138659.tif 000005
【図４】
2015138659.tif 000006
【図５】
2015138659.tif 000007